(57)【要約】【課題】画像形成装置における電源の小型化、および消費電力の大きいプリント期間やウォームアップ期間での電源の高電力効率化を実現しつつ、消費電力の小さいスタンバイ期間やウォームアップ期間でも、電源の電力効率の低下を防止して、待機電力を抑えるようにする。【解決手段】共振電源（２５）を搭載した画像形成装置において、共振電源内の共振素子（７）の定数を切り替える切替手段（２９）を、制御手段（２６）が、画像形成装置の作動状態に応じて動作制御する。好ましくは、制御手段は、画像形成装置が画像形成動作を行っているか否かに応じて、切替手段を動作制御する。【選択図】　　　図１
2004117811.tif 000002
【特許請求の範囲】
【請求項１】
共振電源を搭載した画像形成装置において、
前記共振電源内の共振素子の定数を切り替える切替手段と、
前記画像形成装置の作動状態に応じて、前記切替手段を動作制御する制御手段と
を有することを特徴とする画像形成装置。
【請求項２】
前記制御手段は、前記画像形成装置が画像形成動作を行っているか否かに応じて、前記切替手段を動作制御することを特徴とする請求項１記載の画像形成装置。
【請求項３】
前記制御手段は、前記画像形成装置が画像形成動作に入るための初期動作を行っている否かに応じて、前記切替手段を動作制御することを特徴とする請求項１記載の画像形成装置。
【請求項４】
前記切替手段は、バイポーラトランジスタ及びその駆動回路であることを特徴とする請求項１記載の画像形成装置。
【請求項５】
前記切替手段は、サイリスタ及びその駆動回路であることを特徴とする請求項１記載の画像形成装置。
【請求項６】
前記切替手段は、ＦＥＴ及びその駆動回路であることを特徴とする請求項１記載の画像形成装置。
【請求項７】
前記切替手段は、リレー及びその駆動回路であることを特徴とする請求項１記載の画像形成装置。
【請求項８】
スイッチング素子を備え、該スイッチング素子のＯＮ時間を固定し、ＯＦＦ時間を出力電圧に応じて可変するソフトスイッチング方式の共振電源を搭載した画像形成装置において、
前記共振電源内の共振素子の定数を切り替える切替手段と、
前記画像形成装置からの前記共振電源に対する電源負荷が所定値よりも大きいときは、前記切替手段に、前記共振電源内の共振周波数が第１の周波数になるように前記共振素子の定数を選択させ、前記電源負荷が前記所定値よりも小さいときは、前記切替手段に、前記共振電源内の共振周波数が前記第１の周波数よりも高い第２の周波数になるように前記共振素子の定数を選択させる制御手段と
を有することを特徴とする画像形成装置。
【請求項９】
スイッチング素子を備え、該スイッチング素子のＯＮ／ＯＦＦ時間のデューティを固定し、ＯＮ時間及びＯＦＦ時間を出力電圧に応じて可変するソフトスイッチング方式の共振電源を搭載した画像形成装置において、
前記共振電源内の共振素子の定数を切り替える切替手段と、
前記画像形成装置からの前記共振電源に対する電源負荷が所定値よりも大きいときは、前記切替手段に、前記共振電源内の共振周波数が第１の周波数になるように前記共振素子の定数を選択させ、前記電源負荷が前記所定値よりも小さいときは、前記切替手段に、前記共振電源内の共振周波数が前記第１の周波数よりも低い第２の周波数になるように前記共振素子の定数を選択させる制御手段と
を有することを特徴とする画像形成装置。
【請求項１０】
スイッチング素子を備え、該スイッチング素子のスイッチング周波数を出力電圧に応じて可変するソフトスイッチング方式の共振電源を定着装置に搭載した画像形成装置において、
前記共振電源内の共振素子の定数を切り替える切替手段と、
前記画像形成装置の作動状態に応じて、前記切替手段を動作制御する制御手段と
を有することを特徴とする画像形成装置。
【請求項１１】
前記制御手段は、前記画像形成装置の電源負荷が所定値よりも大きいときは、前記切替手段に、前記共振電源内の共振周波数が第１の周波数になるように前記共振素子の定数を選択させ、前記電源負荷が前記所定値よりも小さいときは、前記切替手段に、前記共振電源内の共振周波数が前記第１の周波数よりも低い第２の周波数になるように前記共振素子の定数を選択させることを特徴とする請求項１０記載の画像形成装置。
【発明の詳細な説明】
【０００１】
【発明の属する技術分野】
本発明は、画像形成装置に関し、特に、共振電源を搭載した画像形成装置に関する。
【０００２】
【従来の技術】
一般に、電子機器に一定の直流電圧を安定に供給する電源としてスイッチング電源装置が好ましい。スイッチング電源装置は、ＭＯＳＦＥＴ、ＩＧＢＴ、サイリスタ等の半導体素子をスイッチとして用い、それらのスイッチのオン／オフにより入力直流電圧を一旦交流電圧に変換する。変換された交流電圧はトランス、整流回路、及び平滑回路を順に通して安定な直流電圧に変換され、出力される。
【０００３】
スイッチの切換による電力損失（スイッチング損失）は一般に小さいので、スイッチング電源装置は高効率で電力を供給できる。従って、スイッチング電源装置は省エネルギーの面で優れている。スイッチング電源装置の電圧変換率はスイッチのオン／オフの時比率だけに実質的に依存し、オン／オフの切換頻度（スイッチング周波数）には実質的には依存しない。一方、スイッチング電源装置では、スイッチング周波数が高い程、トランス、インダクタ、及びコンデンサ等のリアクタンス素子を、それぞれの性能を維持して小型化できる。それ故、スイッチング電源装置は一定の出力電圧を維持しつつ、比較的容易に小型化／軽量化できる。
【０００４】
従来、スイッチング電源装置の一種である共振電源では、一般にソフトスイッチングを行うことにより、スイッチング損失を大幅に低減することができ、出力電力が同じ場合の非共振電源に比べ、電力効率を高めることが可能である。また、高周波スイッチングが可能であり、トランスや二次側平滑コンデンサ等の小型化、ひいては電源の小型化を図れる。さらにソフトスイッチングを行うことにより、低ノイズを実現できる。こうした利点があるため、共振電源が近年、画像形成装置に多用されるようになっている。なお、ソフトスイッチングとは、　スイッチング素子のＯＮからＯＦＦへまたはＯＦＦからＯＮへの過渡時、スイッチング素子内の寄生コンデンサ、スイッチング素子外のコンデンサ及びインダクタの相互間で共振を起こすようにし、　共振電圧または共振電流のいずれかがゼロの時、スイッチング素子をＯＮからＯＦＦへまたはＯＦＦからＯＮへと切り換えるスイッチング方式である。
【０００５】
図９は、画像形成装置の１つであるレーザビームプリンタ（以下「プリンタ」という）に搭載された従来の共振電源を示す回路図である。
【０００６】
図９において、１は商用電源、２８はメインスイッチ、２はノイズフィルタ（Ｎ．Ｆ）、２５は低圧電源、２３は定着電源（ＦＰＳ）である。低圧電源２５の出力は２系統（１６，１９）あり、それぞれ駆動部３１と制御部２６とに供給されている。駆動部３１には、プリント動作を行うためのモータ等のアクチエータと、それらのアクチエータに電力を供給するドライバとが含まれる。制御部２６には、上記駆動部３１および定着電源２３の動作を制御するＣＰＵ，ＡＳＩＣ，ＤＳＰ等の論理演算素子、プリンタ外部から供給される画像情報を変調する画像処理装置、並びに変調結果をレーザ光に変換するレーザダイオード及びレーザドライバが含まれる。定着電源２３の出力は、定着装置２７内に配置されるヒータ２４に供給されている。
【０００７】
メインスイッチ２８が投入されると、低圧電源２５が起動し、出力端子１６，１９に規定の電圧Ｖｐ，Ｖｓが誘起され、駆動部３１と制御部２６に電力を供給する。すると制御部２６は、駆動部３１を制御してプリント動作を行うためのイニシャル動作を行うと共に、定着電源２３を起動して、ヒータ２４をＯＮし、定着装置２７を規定の温度まで加熱し、規定の温度に達するとヒータ２４をＯＦＦする。以上のメインスイッチ２８投入から定着装置２７の加熱終了までの期間を「ウォームアップ期間」と呼ぶ。
【０００８】
ウォームアップ期間が終了すると、制御部２６は、駆動部３１内の大部分のアクチエータを停止させ、プリンタ外部から画像信号が供給されるまで待機する。またこの待機期間中、制御部２６は定着装置２７の温度が規定値を下回った場合にヒータ２４をＯＮし、定着装置２７の温度が概略一定となるように制御する。この待機期間を「スタンバイ期間」と呼ぶ。
【０００９】
プリンタ外部から画像信号が供給されると、制御部２６は駆動部３１を適宜制御してプリント動作を行うと共に、定着装置２７の温度が規定値を下回った場合にヒータ２４をＯＮし、定着装置２７の温度が概略一定となるように制御する。この期間を「プリント期間」と呼ぶ。プリント期間が終了すると、プリンタは再びスタンバイ期間に戻る。
【００１０】
スタンバイ期間が規定時間以上経過すると、制御部２６は駆動部３１の一部への給電を止めたり、ヒータ２４への投入電力を絞ったりなどして、消費電力の低減を図る。この期間を「パワーセーブ期間」と呼ぶ。このパワーセーブ期間中に画像信号が供給されると、プリンタは、ウォームアップの後、プリント動作を再開する。
【００１１】
次に、低圧電源２５について説明する。
【００１２】
低圧電源２５の入力部には整流平滑回路３が設けられる。整流平滑回路３は、商用電源の全波整流を行うダイオードブリッジ、整流後の電圧を平滑する大容量アルミ電解コンデンサ等から構成され、直流電圧Ｖｉｎを出力する。直流電圧Ｖｉｎは、概略一定の電圧であり、ＦＥＴ５のドレイン端子及びフライホイールダイオード６のカソード端子に供給される。
【００１３】
ＦＥＴ５は駆動回路４からゲートに出力される駆動信号Ｑに基づいてスイッチングし、共振用インダクタＬｒ（７）、共振用コンデンＣｒ（８）、及びトランス９の一次巻線に電力を供給する。駆動信号Ｑは、共振用インダクタＬｒに流れる電流Ｉｌｒが零になったときに、立ち上がりまたはたち下がるパルス信号である。
【００１４】
トランス９の二次巻線には、２対の整流用ダイオード（１０，１１）（１２，１３）が接続されており、それぞれトランス９の出力を整流し、値の異なる２系統の電圧を出力する。これら２系統の出力は、インダクタ１４，１７とコンデンサ１５，１８とによってそれぞれ構成された２つのフィルタによって、規定の直流電圧ＶｐおよびＶｓに平滑され、駆動部３１および制御部２６にそれぞれ供給される。
【００１５】
低圧電源２５が出力する電力、即ちプリンタが消費する電力は、ウォームアップ期間、スタンバイ期間、プリント期間、パワーセーブ期間で異なる。一般に、プリント期間に消費する電力が最も多く、次いでウォームアップ期間、スタンバイ期間、パワーセーブ期間の順で消費電力が低下する。
【００１６】
図１０は、商用電源電圧が最小かつプリンタの消費電力が最も大きい時（プリント期間中で負荷電流が最大の時）における共振電源各部の信号波形を示すタイミングチャートである。
【００１７】
図中ＱはＦＥＴ５のゲート駆動信号、ＶｄｓはＦＥＴ５のドレイン−ソース間電圧、Ｉｌｒは共振用インダクタＬｒに流れる電流、Ｖｃｒは共振用コンデンサＣｒの両端に印加される電圧、ＰはＦＥＴ５で発生する電力損失（Ｐ＝Ｖｄｓ×Ｉｄ、ＩｄはＦＥＴ５のドレイン電流）である。
【００１８】
さて、ゲート駆動信号Ｑの高レベル入力により、ＦＥＴ５がＯＮ状態になると（ｔ１）、ＦＥＴ５→共振用インダクタＬｒ→共振用コンデンサＣｒ→トランス９の一次巻線の経路で電流Ｉｌｒが流れる。このＩｌｒは、共振用インダクタンスＬｒと共振用コンデンサＣｒの共振現象により、共振周波数ｆ０＝１／（２π√（Ｌｒ・Ｃｒ））の正弦波を描いてなだらかに上昇の後、同正弦波を描いて減少し零に戻る（ｔ１→ｔ２）。Ｉｌｒが零になった時点でゲート駆動信号Ｑが低レベルに遷移してＦＥＴ５はＯＦＦされる（ｔ２）。ｔ１→ｔ２の期間では、Ｉｌｒ＝Ｉｄである。
【００１９】
こうした共振現象を利用することにより、ＦＥＴ５のターンオン時にはドレイン電流Ｉｄを緩やかに立ち上げ、逆にドレイン電流Ｉｄが零になった時点でＦＥＴ５をＯＦＦすること（ソフトスイッチング）が可能となる。これにより、ＦＥＴ５のターンオン・ターンオフ時に発生する電力損失（スイッチング損失）を大幅に削減できる。以上のように高電力効率を実現できることが、共振電源の特徴である。
【００２０】
ＦＥＴ５がＯＦＦ後、ｔ２からｔ３までの期間に、共振用コンデンサＣｒに蓄えられた電荷が、フライホイールダイオード６を介して整流平滑回路３に回生される。共振コンデンサＣｒの端子間電圧が零になった時点で共振動作の１サイクルが終了し、再びＦＥＴ５はＯＮ状態となり、その後上記の一連動作を繰り返すこととなる。
【００２１】
図１０のように、スイッチング周波数ｆｓと共振周波数ｆ０とが等しいとき、共振インダクタＬｒと共振コンデンサＣｒの合成インピーダンスは零となる。このとき出力電圧Ｖｓは、コンバータの入力電圧Ｖｉｎ（整流平滑回路３の出力電圧）とトランス９の巻数比、および回路系の寄生インピーダンス（トランス９の銅損やパターンのインピーダンス等）によって決定される。
【００２２】
図１１は、トランス９の二次側出力電圧とスイッチング周波数ｆｓとの関係を表した特性曲線図であり、二次側出力電圧はｆｓ＝ｆ０で最大となる。負荷電流が大きくなると、整流平滑回路３の出力電圧Ｖｉｎが低下するとともに、回路系の寄生インピーダンスによる電圧降下が大きくなり、出力電圧曲線は下がる。商用電源電圧が低下した場合も同様に出力電圧曲線は下がる。
【００２３】
上記のような外乱（負荷電流変動や商用電源電圧変動）が存在しても出力電圧Ｖｓを一定電圧に保つためには、出力電圧Ｖｓを検出して、該出力電圧Ｖｓに応じてスイッチング周波数ｆｓを可変する必要がある。
【００２４】
すなわち、図９に戻って、エラーアンプ２１によって、出力電圧Ｖｓと基準電圧Ｖｒｅｆ（２０）を比較し、比較結果を、フォトカプラ２２を介して駆動回路４に供給する。駆動回路４は、この比較結果に基づいてスイッチング周波数ｆｓを決定する。
【００２５】
一般に、スイッチング周波数ｆｓを出力電圧Ｖｓに応じて可変する方式として、従来、以下の２つが存在する。
【００２６】
ＦＥＴ５のＯＮ時間を固定し、出力電圧Ｖｓの変動に応じてＦＥＴ５のＯＦＦ時間を可変（長く）する方式。この方式による振動電源各部の動作波形を図１２に示す。この方式による動作領域は、図１１に示す共振動作領域となる。
【００２７】
ＦＥＴ５のＯＮ／ＯＦＦ時間のデューティを固定したまま、出力電圧Ｖｓの変動に応じてＯＮ／ＯＦＦ時間を可変（ＯＮ時間及びＯＦＦ時間を短く）する方式。この方式による振動電源各部の動作波形を図１３に示す。この方式による動作領域は、図１１に示す非共振動作領域となる。
【００２８】
いずれの可変方式においても、商用電源電圧が仕様上最小かつ負荷電流が最大（出力電圧Ｖｓが最小となる条件）のとき、ｆｓ＝ｆ０で出力電圧Ｖｓが最大となるように制御系を構成する必要がある。これは、スイッチング周波数ｆｓの制御範囲に、特性曲線中のピークを含むと制御不能となるためである。
【００２９】
以上説明した従来の技術は、例えば下記の非特許文献１に示される。
【００３０】
【非特許文献１】
長谷川彰著「スイッチング・レギュレータ設計ノウハウ」ＣＱ出版社発行、１９８５年
【００３１】
【発明が解決しようとする課題】
上述のような従来の共振電源を搭載した画像形成装置では、電源内のスイッチングデバイスのスイッチング損失を低減し、電力効率を向上することが可能であり、負荷電流の大きいプリント期間やウォームアップ期間では、画像形成装置の消費電力を低減することができる。
【００３２】
しかしながら、商用電源電圧が高い場合や、負荷電流の小さいスタンバイ期間やパワーセーブ期間においては、以下のような問題がある。
【００３３】
まず、上記のＦＥＴ５のＯＮ時間を固定し、出力電圧Ｖｓの変動に応じてＦＥＴ５のＯＦＦ時間を可変する周波数可変方式▲１▼では、商用電源電圧が高くなったり、負荷電流が小さくなったりした場合、ＦＥＴ５のＯＦＦ時間を長くして（スイッチング周波数ｆｓを小さくして）入出力電圧比（Ｖｓ／Ｖｉｎ）を下げることが行われる。よって、トランス９や二次側平滑コンデンサ１５，１８は、商用電源電圧が最大かつ負荷電流が最小時のスイッチング周波数ｆｓに併せて選定しなければならず、比較的大型のものが必要となる。即ち、共振電源の利点である部品の小型化、ひいてはプリンタ本体の小型化を妨げてしまうことになる。
【００３４】
また、周波数可変方式▲１▼では一般的に、最小スイッチング周波数が可聴周波数帯域内（２０ｋＨｚ以下）となる。これにより、トランスやコンデンサ等が可聴音を発し、ユーザに不快感を与えるという問題もある。
【００３５】
次に、上記のＦＥＴ５のＯＮ／ＯＦＦ時間のデューティを固定したまま、出力電圧Ｖｓの変動に応じてＯＮ／ＯＦＦ時間を可変する周波数可変方式▲２▼では、商用電源電圧が高くなったり、負荷電流が小さくなったりすると、スイッチング周波数ｆｓを共振周波数ｆ０よりも高くし、共振用インダクタＬｒと共振用コンデンサＣｒとの合成インピーダンスによる電圧降下分で出力電圧を絞ることになる。すると図１３に示すように、ＦＥＴ５のドレイン電流Ｉｄが零になる前にＦＥＴ５をＯＦＦすることとなり、かつスイッチング周波数ｆｓも高くなる（単位時間あたりのターンオン・ターンオフ回数が増える）ため、ＦＥＴ５のスイッチング損失が大幅に増大し、電力効率が大幅に低下することとなる。
【００３６】
近年、環境保護の観点から、待機時の電力消費（以下、「待機電力」という）の小さいプリンタが求められている。例えば、プリンタや複写機等のＯＡ機器の省エネルギーを目的とした国際エネルギースタープログラム制度が、日米政府を中心に製造／販売事業者の自主的な参加で推進されている。この国際エネルギースタープログラム制度では、待機電力を低減することに主眼が置かれている。
【００３７】
しかしながら、周波数可変方式▲２▼の共振電源を搭載したプリンタにおいては、負荷電流が小さいスタンバイ期間やパワーセーブ期間で、電力効率が大幅に低下してしまうため、待機電力低減が非常に困難であった。
【００３８】
また、共振用インダクタＬｒや共振用コンデンサＣｒの容量を大きくして、スイッチング周波数ｆｓを低くし、これによって軽負荷電流時の電力損失を抑える方法も考案されている。しかしながらこの方法では、重負荷電流時にさらにスイッチング周波数ｆｓが低くなるため、トランス９の二次側の平滑コンデンサ１５，１８が大型化してしまうという問題があった。
【００３９】
本発明はこのような問題点に鑑みてなされたものであって、電源の小型化、および消費電力の大きいプリント期間やウォームアップ期間での電源の高電力効率化を実現しつつ、消費電力の小さいスタンバイ期間やウォームアップ期間でも、電源の電力効率の低下を防止して、待機電力を抑えるようにした画像形成装置を提供することを目的とする。
【００４０】
【課題を解決するための手段】
上記目的を達成するために、請求項１記載の発明によれば、共振電源を搭載した画像形成装置において、前記共振電源内の共振素子の定数を切り替える切替手段と、前記画像形成装置の作動状態に応じて、前記切替手段を動作制御する制御手段とを有することを特徴とする画像形成装置が提供される。
【００４１】
また、請求項８記載の発明によれば、スイッチング素子を備え、該スイッチング素子のＯＮ時間を固定し、ＯＦＦ時間を出力電圧に応じて可変するソフトスイッチング方式の共振電源を搭載した画像形成装置において、前記共振電源内の共振素子の定数を切り替える切替手段と、前記画像形成装置からの前記共振電源に対する電源負荷が所定値よりも大きいときは、前記切替手段に、前記共振電源内の共振周波数が第１の周波数になるように前記共振素子の定数を選択させ、前記電源負荷が前記所定値よりも小さいときは、前記切替手段に、前記共振電源内の共振周波数が前記第１の周波数よりも高い第２の周波数になるように前記共振素子の定数を選択させる制御手段とを有することを特徴とする画像形成装置が提供される。
【００４２】
また、請求項９記載の発明によれば、スイッチング素子を備え、該スイッチング素子のＯＮ／ＯＦＦ時間のデューティを固定し、ＯＮ時間及びＯＦＦ時間を出力電圧に応じて可変するソフトスイッチング方式の共振電源を搭載した画像形成装置において、前記共振電源内の共振素子の定数を切り替える切替手段と、前記画像形成装置からの前記共振電源に対する電源負荷が所定値よりも大きいときは、前記切替手段に、前記共振電源内の共振周波数が第１の周波数になるように前記共振素子の定数を選択させ、前記電源負荷が前記所定値よりも小さいときは、前記切替手段に、前記共振電源内の共振周波数が前記第１の周波数よりも低い第２の周波数になるように前記共振素子の定数を選択させる制御手段とを有することを特徴とする画像形成装置が提供される。
【００４３】
さらに、請求項１０記載の発明によれば、スイッチング素子を備え、該スイッチング素子のスイッチング周波数を出力電圧に応じて可変するソフトスイッチング方式の共振電源を定着装置に搭載した画像形成装置において、前記共振電源内の共振素子の定数を切り替える切替手段と、前記画像形成装置の作動状態に応じて、前記切替手段を動作制御する制御手段とを有することを特徴とする画像形成装置が提供される。
【００４４】
【発明の実施の形態】
以下、本発明の実施の形態を、図面を参照して説明する。
【００４５】
［第１の実施の形態］
図１は、本発明に係るプリンタに搭載された共振電源の第１の実施の形態の構成を示す回路図である。なお、図１に示す回路は、基本的に図９に示す従来の共振電源の回路と同じであるので、同一部分には同一の参照符号を付してその説明を省略する。
【００４６】
なお、第１の実施の形態における共振電源の制御方式は、図２に示すようにスイッチングＦＥＴ５のＯＮ時間を固定しＯＦＦ時間を可変する周波数可変方式である。図２は、第１の実施の形態における共振電源各部の信号波形を示すタイミングチャートである。
【００４７】
第１の実施の形態の特徴は、共振用インダクタＬｒをＬｒ１（７−１）とＬｒ２（７−２）とに分割し、Ｌｒ１（７−１）の両端にスイッチ２９を設けたことである。スイッチ２９は、制御部２６から出力されるＰｓ信号がＨレベルの時クローズし、Ｐｓ信号がＬレベルの時オープンとなる。
【００４８】
このため、Ｐｓ信号がＬレベルの場合、共振周波数がｆ０ａ＝１／２π√［（Ｌｒ１＋Ｌｒ２）・Ｃｒ］となり、Ｐｓ信号がＨレベルの場合、共振周波数がｆ０ｂ＝１／２π√（Ｌｒ２・Ｃｒ）となる。すなわち図３に示すように、異なる２つの共振周波数ｆ０ａ，ｆ０ｂ（ｆ０ａ＜ｆ０ｂ）が設定される。図３は、第１の実施の形態におけるトランス９の二次側出力電圧とスイッチング周波数ｆｓとの関係を表した特性曲線図である。
【００４９】
以下に、図１、図２及び図３を参照して、プリンタの動作と共振電源の制御方法を説明する。
【００５０】
プリント期間及びウォームアップ期間中、制御部２６はＰｓ信号をＬレベルとし、スイッチ２９をオープンとする。よって共振周波数はｆ０ａとなる。また、商用電源電圧が仕様上最小かつ負荷電流がプリント期間中最大の時、ＦＥＴ５のスイッチング周波数ｆｓと共振周波数ｆ０ａとが等しくなり、出力電圧がＶｓ及びＶｐとなるように各回路定数を設定することが望ましい。
【００５１】
プリント期間中（ｔ１〜ｔ１６）のトランス９の二次側出力電圧は、図３中の曲線ａで示す特性となる。駆動回路４は、エラーアンプ２１の比較結果に基づいて、各時点の出力電圧Ｖｓに応じたＦＥＴ５のＯＦＦ時間（即ちスイッチング周波数ｆｓ）を決定し、ＦＥＴ５をＯＮ／ＯＦＦ駆動する。
【００５２】
まず駆動回路４がＦＥＴ５をＯＮすると（ｔ１）、共振用インダクタＬｒ１、共振用インダクタＬｒ２、共振用コンデンサＣｒを流れる電流Ｉｌｒは、共振周波数ｆ０ａの正弦波を描いてなだらかに上昇の後、同正弦波を描いて減少し零に戻る（ｔ１→ｔ３）。Ｉｌｒが零になった時点で、駆動回路４はＦＥＴ５をＯＦＦする（ｔ３）。ＦＥＴ５のＯＮ時間は、所定時間ｔｏｎａに予め規定されている。駆動回路４は前述したＯＦＦ時間が経過した後、再度ＦＥＴ５をＯＮする（ｔ４）。プリント期間中、ｔ１からｔ４の動作と同じ動作が繰り返されることにより、出力電圧ＶｓおよびＶｐは、定電圧に保たれる。また、以上の一連動作が繰り返されることにより、プリント期間中のいかなる負荷電流時においても電源の共振動作が保たれ、ＦＥＴ５のターンオン・ターンオフ時に発生する電力損失（スイッチング損失）を大幅に削減することができる。
【００５３】
なおプリント期間中、電源の出力電流が減少すると（ｔ１０からｔ１６の期間）、ＦＥＴ５のＯＦＦ時間が長くなる（ｔ１１〜ｔ１２）。このとき、共振用インダクタＬｒ１、共振用インダクタＬｒ２、共振用コンデンサＣｒの各々における端子間電圧は零になるから、ＦＥＴ５のドレインソース間電圧Ｖｄｓは上昇する。
【００５４】
次に、プリント動作が終了し、スタンバイ期間に移る際の動作について説明する。
【００５５】
スタンバイ期間やパワーセーブ期間の負荷電流は、プリント期間やウォームアップ期間に比べ極端に小さくなる。このため、「発明が解決しようとする課題」欄において述べたように、共振周波数を一定に保ったまま出力電圧Ｖｓ及びＶｐを定電圧に保つためには、ＦＥＴ５のＯＦＦ時間を極端に長くしなければならず（即ち、スイッチング周波数ｆｓを極端に小さくしなければならず）、電源構成部品の大型化、トランス／コンデンサ等の発振音によるユーザの不快感を招くことになる。
【００５６】
そこで本実施の形態では、プリント動作が終了しスタンバイ期間に入る際に、共振周波数をｆ０ｂに変更する。すなわち、プリント期間が終了し、且つＦＥＴ５がＯＦＦすると、制御部２６はＰｓ信号をＨレベルとし、共振周波数をｆ０ｂとする。また、駆動回路４を制御して、ＦＥＴ５のＯＮ時間を、所定時間ｔｏｎａから所定時間ｔｏｎｂに変更する。これにより、トランス９の二次側出力電圧は、図３中の曲線ｂで示す特性となる。ここで、商用電源電圧が仕様上最小かつ負荷電流がスタンバイ期間中の最大の時、ＦＥＴ５のスイッチング周波数ｆｓと共振周波数ｆ０ｂとが等しくなり、出力電圧がＶｓ及びＶｐとなるように各回路定数を設定することが望ましい。
【００５７】
スタンバイ期間やパワーセーブ期間においても駆動回路４の制御は、プリント期間やウォームアップ期間と全く同様である。しかしながら、共振周波数ｆ０ｂが共振周波数ｆ０ａよりも大きくなるため、スイッチング周波数ｆｓはプリント期間（共振周波数ｆ０ａ）で同一負荷電流を出力する場合のスイッチング周波数よりも大きくなる。
【００５８】
以上のように、消費電力の小さいスタンバイ期間やパワーセーブ期間には、共振用インダクタのインダクタンスを小さな値に切り替えることにより（スイッチ２９をクローズして共振用インダクタＬｒ１の両端を短絡し、共振用インダクタＬｒ２のみとする）、商用電源電圧が最小かつ負荷電流が最小時のスイッチング周波数を大きい値に設定することが可能となる。
【００５９】
これによって、電源構成部品の小型化が図られてプリンタ本体を小型にすることが実現するとともに、トランス，コンデンサ等の発振音によるユーザの不快感を低減することが可能となる。
【００６０】
なお、第１の実施の形態におけるスイッチ２９を、バイポーラトランジスタおよびその駆動回路、サイリスタおよびその駆動回路、ＦＥＴおよびその駆動回路、リレーおよびその駆動回路、またはその他の開閉手段に置き換えてもよい。
【００６１】
また、第１の実施の形態における共振用インダクタは、トランスのリーケージインダクタンスを利用してもよい。
【００６２】
さらに、第１の実施の形態では、共振用インダクタの定数をスイッチ２９の開閉によって切り替えるように構成しているが、これに代わって、共振用コンデンサの定数を切り替える構成でもよい。
【００６３】
さらに、第１の実施の形態は、電流共振方式の電源となっているが、本発明は他の共振方式の電源にも適応可能である。
【００６４】
［第２の実施の形態］
次に第２の実施の形態を説明する。
【００６５】
第２の実施の形態の構成は、基本的に第１の実施の形態の構成と同じであるので、第２の実施の形態の説明においては、第１の実施の形態の構成を流用する。
【００６６】
第２の実施の形態における共振電源の制御方式は、図４に示すように、スイッチングＦＥＴ５のＯＮ時間／ＯＦＦ時間のデューティを固定し、ＯＮ時間／ＯＦＦ時間を変えることによって周波数を可変する周波数可変方式である。図４は、第２の実施の形態における共振電源各部の信号波形を示すタイミングチャートである。
【００６７】
第２の実施の形態においても、共振用インダクタＬｒをＬｒ１（７−１）とＬｒ２（７−２）とに分割し、Ｌｒ１の両端にスイッチ２９を設けている。スイッチ２９は、制御部２６から出力されるＰｓ信号がＨレベルの時クローズし、Ｐｓ信号がＬレベルの時オープンとなる。
【００６８】
このため、第２の実施の形態においても、Ｐｓ信号がＬレベルの場合、共振周波数がｆ０ａ＝１／２π√［（Ｌｒ１＋Ｌｒ２）・Ｃｒ］となり、Ｐｓ信号がＨレベルの場合、共振周波数がｆ０ｂ＝１／２π√（Ｌｒ２・Ｃｒ）となる。すなわち図５に示すように、異なる２つの共振周波数ｆ０ａ，ｆ０ｂが設定される。図５は、第２の実施の形態におけるトランス９の二次側出力電圧とスイッチング周波数ｆｓとの関係を表した特性曲線図である。
【００６９】
以下に、流用した図１、並びに図４及び図５を参照して、プリンタの動作と共振電源の制御方法を説明する。
【００７０】
第２の実施の形態では第１の実施の形態とは逆に、プリント期間中及びウォームアップ期間中にＰｓ信号をＨレベルとして共振周波数をｆ０ｂとし、スタンバイ期間中及びパワーセーブ期間中はＰｓ信号をＬレベルとして共振周波数をｆ０ａとする。
【００７１】
プリント期間及びウォームアップ期間中、制御部２６はＰｓ信号をＨレベルとしてスイッチ２９をクローズし、共振周波数をｆ０ｂとする。ここで、商用電源電圧が仕様上最小かつ負荷電流がプリント期間中最大の時、ＦＥＴ５のスイッチング周波数ｆｓと共振周波数ｆ０ｂとが等しくなり、出力電圧がＶｓ及びＶｐとなるように各回路定数を設定することが望ましい。
【００７２】
プリント期間中（ｔ１〜ｔ１９）のトランス９の二次側出力電圧は、図５中の曲線ｄで示す特性となる。駆動回路４は、エラーアンプ２１の比較結果に基づいて、各時点の出力電圧Ｖｓに応じたＦＥＴ５のスイッチング周波数ｆｓを決定し、ＦＥＴ５をＯＮ／ＯＦＦ駆動する。
【００７３】
まず駆動回路４がＦＥＴ５をＯＮすると（ｔ１）、共振用インダクタＬｒ２、共振用コンデンサＣｒを流れる電流Ｉｌｒは、共振周波数ｆ０ｂの正弦波を描いてなだらかに上昇の後、同正弦波を描いて減少し零に戻る（ｔ１→ｔ３）。Ｉｌｒが零になった時点で、駆動回路４はＦＥＴ５をＯＦＦする（ｔ３）。ｔ３からｔ４までの時間に、共振用コンデンサＣｒに蓄えられた電荷が、フライホイールダイオード６を介して整流平滑回路３に回生される。共振コンデンサＣｒの端子間電圧Ｖｃｒが零になった時点で共振動作の１サイクルが終了する（ｔ４）。以上の動作が、商用電源電圧が仕様上最小かつ負荷電流がプリント期間中最大の時の動作である。
【００７４】
プリント期間中、商用電源電圧が上昇したり、または負荷電流が上記動作時よりも減少したりした場合、駆動回路４はスイッチング周波数ｆｓを大きくする。すると電流Ｉｌｒが零に戻る前にＦＥＴ５をＯＦＦすることとなり、ＦＥＴ５のターンオフ損失が増加すると共に、単位時間あたりのターンオン・ターンオフ回数が増えるため、電力効率が低下する（ｔ７→ｔ１９）。
【００７５】
次に、プリント動作が終了し、スタンバイ期間に移る際の動作について説明する。
【００７６】
スタンバイ期間での負荷電流は、プリント期間に比べ極端に小さくなる。上記および「発明が解決しようとする課題」欄で述べたとおり、共振周波数を一定に保ったまま出力電圧Ｖｓ及びＶｐを定電圧に保つためには、スイッチング周波数を極端に高くしなければならず、単位時間あたりのターンオン／ターンオン回数が増えるため、ＦＥＴ５のターンオフ損失が大幅に増大し、電力効率が大幅に低下してしまう。
【００７７】
そこで第２の実施の形態では、プリント動作が終了しスタンバイ期間に入る際に、共振周波数をｆ０ａに変更する。すなわち、プリント期間が終了し、且つＦＥＴ５がＯＦＦすると、制御部２６はＰｓ信号をＬレベルとし、共振周波数をｆ０ａとする。これにより、トランス９の二次側出力電圧は、図５中の曲線ｃで示す特性となる。ここで商用電源電圧が最大かつ負荷電流がスタンバイ期間中最大の時、ＦＥＴ５のスイッチング周波数ｆｓと共振周波数ｆ０ｓとが等しくなり、出力電圧がＶｓ及びＶｐとなるように各回路定数を設定することが望ましい。
【００７８】
スタンバイ期間中においても駆動回路４の制御は、プリント期間中と全く同様である。しかしながら、共振周波数ｆ０ａが共振周波数ｆ０ｂよりも小さくなるため、スイッチング周波数ｆｓはプリント期間（共振周波数ｆ０ｂ）で同一負荷電流を出力する場合のスイッチング周波数よりも小さくなる。よって、単位時間あたりのターンオン／ターンオン回数が減少するため、ＦＥＴ５のターンオフ損失を減少し、電力効率を高めることが可能となる。
【００７９】
なお、プリント期間やウォームアップ期間での負荷電流の大きいときから、スイッチング周波数を小さい値に設定する方法では、トランス二次側の平滑コンデンサが大型なものになってしまう。しかしながら、本第２の実施の形態では、負荷電流の小さいスタンバイ期間やパワーセーブ期間でのみスイッチング周波数を小さい値に設定するので、トランス二次側の平滑コンデンサは小型のものでよい。
【００８０】
以上のようにして、第２の実施の形態では、プリンタの消費電力の小さいスタンバイ期間やパワーセーブ期間には、共振用インダクタのインダクタンスを大きな値に切り替えることにより（スイッチ２９をオープンして共振用インダクタＬｒ１の両端を開放し、共振用インダクタＬｒ１にも電流を流す）、スイッチング周波数を小さい値に設定することが可能となる。
【００８１】
これによって、スタンバイ期間やパワーセーブ期間においても電力効率の落ちることのない画像形成装置を提供することが可能となる。
【００８２】
なお、第２の実施の形態におけるスイッチ２９も、バイポーラトランジスタおよびその駆動回路、サイリスタおよびその駆動回路、ＦＥＴおよびその駆動回路、リレーおよびその駆動回路、またはその他の開閉手段に置き換えてもよい。
【００８３】
また、第２の実施の形態における共振用インダクタは、トランスのリーケージインダクタンスを利用してもよい。
【００８４】
さらに、第２の実施の形態では、共振用インダクタの定数をスイッチ２９の開閉によって切り替えるように構成しているが、これに代わって、共振用コンデンサの定数を切り替える構成でもよい。
【００８５】
さらに、第２の実施の形態は、電流共振方式の電源となっているが、本発明は他の共振方式の電源にも適応可能である。
【００８６】
［第３の実施の形態］
次に第３の実施の形態を説明する。
【００８７】
第３の実施の形態では、プリンタの定着電源に本発明に係る共振電源を適応している。
【００８８】
図６は、第３の実施の形態におけるプリンタの定着電源に適用された共振電源の構成を示す回路図である。なお、図６に示す回路において、図９に示す従来の共振電源の回路と同じ部分には、図９と同じ参照符号を付してその説明を省略する。
【００８９】
図６において、定着装置２７は、紙やＯＨＴ（以下「メディア」と呼ぶ）上に転写されたトナーを、熱によって融解し定着する装置であり、定着電源２３は定着装置２７に電力を供給する。定着装置２７内には、ヒータ２４と、定着装置２７内の温度を監視し、温度情報を制御部２６に供給するサーミスタ３０が配置されている。ヒータ２４の発熱量はヒータ２４の端子電圧（定着電源２３の出力電圧）に比例する。
【００９０】
制御部２６は、サーミスタ３０から供給される温度情報に基づいて定着電源２３の出力電圧を制御し、定着装置２７の温度が概略一定となるようにする。そのため、メインスイッチ２８投入から定着装置２７が規定温度に到達するまでのウォームアップ期間や、メディアが定着装置２７内を搬送され定着装置２７の熱が奪われるプリント期間は、定着電源２３の出力電圧は大きくなり、逆にスタンバイ期間やウォームアップ期間では定着電源２３の出力電圧は小さくなる。
【００９１】
定着電源２３の入力部には、整流平滑回路３ａが設けられる。整流平滑回路３ａは、商用電圧の全波整流を行うダイオードブリッジ、整流後の電圧を平滑する大容量アルミ電解コンデンサ等から構成され、直流電圧Ｖｉｎを出力する。直流電圧Ｖｉｎは、概略一定の電圧であり、ＦＥＴ５ａのドレイン端子及びフライホイールダイオード６ａのカソード端子に供給される。ＦＥＴ５ａは駆動回路４ａから出力される駆動信号Ｑに基づいてスイッチングし、共振用インダクタＬｒ１（７−１ａ），Ｌｒ２（７−２ａ）、共振用コンデンサＣｒ（８ａ）、及びヒータ２４に電力を供給する。
【００９２】
第３の実施の形態においても、共振用インダクタＬｒ１の両端にスイッチ２９ａを設けている。スイッチ２９ａは、制御部２６から出力されるＰｓ信号がＨレベルの時クローズし、Ｐｓ信号がＬレベルの時オープンとなる。したがって、第３の実施の形態においても、Ｐｓ信号がＬレベルの場合、共振周波数がｆ０ａ＝１／２π√［（Ｌｒ１＋Ｌｒ２）・Ｃｒ］となり、Ｐｓ信号がＨレベルの場合、共振周波数がｆ０ｂ＝１／２π√（Ｌｒ２・Ｃｒ）となる。すなわち図７に示すように、異なる２つの共振周波数ｆ０ａ，ｆ０ｂが設定される。図７は、第３の実施の形態におけるヒータ２４への印加電圧とスイッチング周波数ｆｓとの関係を表した特性曲線図である。
【００９３】
第３の実施の形態では、定着電源２３の出力電圧が大きいプリント期間およびウォームアップ期間には、Ｐｓ信号をＨレベルとしてスイッチ２９ａをクローズし、定着電源２３の出力電圧が小さいスタンバイ期間およびパワーセーブ期間には、Ｐｓ信号をＬレベルとしてスイッチ２９ａをオープンとする。
【００９４】
以下ではまず、定着電源２３の出力電圧が大きいプリント期間およびウォームアップ期間における定着電源２３の動作について、図８を参照して説明する。
【００９５】
図８は、第３の実施の形態における定着電源２３各部の信号波形を示すタイミングチャートである。
【００９６】
図８中ＱはＦＥＴ５ａのゲート駆動信号、ＶｄｓはＦＥＴ５ａのドレイン−ソース間電圧、Ｉｌｒは共振用インダクタＬｒ２に流れる電流、Ｖｃｒは共振用コンデンサＣｒの両端に印加される電圧、ＰはＦＥＴ５ａで発生する電力損失（Ｐ＝Ｖｄｓ×Ｉｄ、ＩｄはＦＥＴ５ａのドレイン電流）である。
【００９７】
まずプリント期間およびウォームアップ期間では、Ｐｓ信号がＨレベルであるので、スイッチ２９ａがクローズしていて共振用インダクタＬｒ１には電流が流れない。こうしたとき、駆動回路４ａから高レベルのゲート駆動信号Ｑが出力されてＦＥＴ５ａがＯＮすると（ｔ１）、共振用インダクタＬｒ２、共振用コンデンサＣｒを流れる電流Ｉｌｒは、共振周波数ｆ０ｂの正弦波を描いてなだらかに上昇の後、同正弦波を描いて減少し零に戻る（ｔ１→ｔ３）。電流Ｉｌｒが零になった時点で、駆動回路４ａはＦＥＴ５ａをＯＦＦする（ｔ３）。ｔ３からｔ４までの期間に、共振用コンデンサＣｒに蓄えられた電荷が、フライホイールダイオード６ａを介して整流平滑回路３ａに回生される。共振コンデンサＣｒの端子間電圧Ｖｃｒが零になった時点で共振動作の１サイクルが終了する（ｔ４）。
【００９８】
このように、スイッチング周波数ｆｓと共振周波数ｆ０ｂとが等しいとき、共振インダクタＬｒ２と共振コンデンサＣｒの合成インピーダンスは零となり、ヒータ２４に印加される電圧は最大となる。ここで、ＦＥＴ５ａのＯＮ／ＯＦＦのデューティが一定であるとすれば、スイッチング周波数ｆｓに対するヒータ２４の印加電圧の特性曲線は図７中の太線部ｆとなり、ヒータ２４へ印加される電圧は、スイッチング周波数ｆｓが共振周波数ｆ０ｂから離れるほど小さくなる。
【００９９】
こうした共振特性を利用することにより、ＦＥＴ５ａのターンオン時にはドレイン電流を緩やかに立ち上げ、逆にドレイン電流が零になった時点でＦＥＴ５ａをＯＦＦすること（ソフトスイッチング）が可能となる。これにより、ＦＥＴ５ａのターンオン・ターンオフ時に発生する電力損失（スイッチング損失）を大幅に削減できる（高電力効率を実現できる）。
【０１００】
プリント期間中、定着装置２４の温度が規定値に達した場合、制御部２６は、スイッチング周波数ｆｓを高くすることにより、ヒータ２４の印加電圧を小さくする。このとき、図８に示すようにＦＥＴ５ａのドレイン電流Ｉｄが零になる前にＦＥＴ５ａをＯＦＦすることとなり、かつスイッチング周波数ｆｓも高くなる（単位時間あたりのターンオン／ターンオン回数が増える）ため、ＦＥＴ５ａのターンオフ損失が増大し、電力効率が低下してしまう。
【０１０１】
次に、プリント動作が終了し、スタンバイ期間入った場合の制御について説明する。
【０１０２】
スタンバイ期間やパワーセーブ期間では、メディアによって定着装置２７内の熱が奪われることが無いため、出力電圧は極端に小さく設定されることとなる。
【０１０３】
スタンバイ期間やパワーセーブ期間では、制御部２６がＰＳ信号をＬレベルにしてスイッチ２９ａをオープンし、共振用インダクタＬｒ１に電流を流すようにする。これにより、共振周波数はｆ０ａとなり、スイッチング周波数ｆｓは大幅に下がる。よって単位時間あたりのターンオン／ターンオン回数が増えるため、ＦＥＴ５ａのターンオフ損失が大幅に減少し、電力効率が大幅に改善する。
【０１０４】
以上のように、定着電源２３の出力電圧の小さいスタンバイ期間やパワーセーブ期間には、共振用インダクタのインダクタンスを大きな値に切り替えることにより、スイッチング周波数を小さい値に設定することが可能となる。これによって、スタンバイ期間やパワーセーブ期間においても電力効率の落ちることのないプリンタを提供することが可能となる。
【０１０５】
なお、第３の実施の形態におけるスイッチ２９ａは、バイポーラトランジスタおよびその駆動回路、サイリスタおよびその駆動回路、ＦＥＴおよびその駆動回路、リレーおよびその駆動回路、その他の開閉手段のいずれかに置き換えてもよい。
【０１０６】
また、第３の実施の形態では、共振用インダクタの定数をスイッチ２９ａの開閉によって切り替えるように構成しているが、これに代わって、共振用コンデンサの定数を切り替える構成でもよい。
【０１０７】
さらに、第３の実施の形態は、電流共振方式の電源となっているが、本発明は他の共振方式の電源にも適応可能である。
【０１０８】
【発明の効果】
以上詳述したように本発明によれば、共振電源を搭載した画像形成装置において、画像形成装置の消費電力が大きい場合には、共振電源の利点を生かして高効率動作を行うと共に、消費電力が小さい場合にも、効率の低下を招くことのない画像形成装置を提供することが可能となる。よって、消費電力の小さい画像形成装置を提供することができる。
【０１０９】
また、本発明によれば、画像形成装置の電源部を小型に構成することが可能となる。よって、小型な画像形成装置を提供することができる。
【０１１０】
さらに、本発明によれば画像形成装置の電源部で発生する、トランスやコンデンサの発振音を低減することが可能となる。よって、ユーザに不快感を与えることの少ない画像形成装置を提供することができる。
【図面の簡単な説明】
【図１】本発明に係るプリンタに搭載された共振電源の第１の実施の形態の構成を示す回路図である。
【図２】第１の実施の形態における共振電源各部の信号波形を示すタイミングチャートである。
【図３】第１の実施の形態におけるトランスの二次側出力電圧とスイッチング周波数ｆｓとの関係を表した特性曲線図である。
【図４】第２の実施の形態における共振電源各部の信号波形を示すタイミングチャートである。
【図５】第２の実施の形態におけるトランスの二次側出力電圧とスイッチング周波数ｆｓとの関係を表した特性曲線図である。
【図６】第３の実施の形態におけるプリンタの定着電源に適用された共振電源の構成を示す回路図である。
【図７】第３の実施の形態におけるヒータへの印加電圧とスイッチング周波数ｆｓとの関係を表した特性曲線図である。
【図８】第３の実施の形態における定着電源各部の信号波形を示すタイミングチャートである。
【図９】画像形成装置の１つであるレーザビームプリンタに搭載された従来の共振電源を示す回路図である。
【図１０】商用電源電圧が最小かつプリンタの消費電力が最も大きい時（プリント期間中で負荷電流が最大の時）における共振電源各部の信号波形を示すタイミングチャートである。
【図１１】トランスの二次側出力電圧とスイッチング周波数ｆｓとの関係を表した特性曲線図である。
【図１２】ＦＥＴのＯＮ時間を固定し、出力電圧Ｖｓの変動に応じてＦＥＴのＯＦＦ時間を可変（長く）する方式による振動電源各部の動作波形を示す図である。
【図１３】ＦＥＴのＯＮ／ＯＦＦ時間のデューティを固定したまま、出力電圧Ｖｓの変動に応じてＯＮ／ＯＦＦ時間を可変（ＯＮ時間及びＯＦＦ時間を短く）する方式による振動電源各部の動作波形を示す図である。
【符号の説明】
１　商用電源
２　ノイズフィルタ（Ｎ．Ｆ）
３　整流平滑回路
４　駆動回路
５　ＦＥＴ（スイッチング素子）
６　フライホイールダイオード
７　共振用インダクタＬｒ
７−１　共振用インダクタＬｒ１（共振素子）
７−２　共振用インダクタＬｒ２（共振素子）
８　共振用コンデンＣｒ（共振素子）
９　トランス
１０，１１，１２，１３　整流用ダイオード
１４，１７　インダクタ
１５，１８　コンデンサ
１６　出力端子
１９　出力端子
２０　基準電圧源
２１　エラーアンプ
２２　フォトカプラ
２３　定着電源（ＦＰＳ）
２４　ヒータ
２５　低圧電源（ＬＶＰＳ、共振電源）
２６　制御部（制御手段）
２７　定着装置
２８　メインスイッチ
２９　スイッチ（切替手段）
３１　駆動部
ｆｓ　スイッチング周波数
Ｑ　駆動信号
Ｖｓ　出力電圧
【図１】
2004117811.tif 000003
【図２】
2004117811.tif 000004
【図３】
2004117811.tif 000005
【図４】
2004117811.tif 000006
【図５】
2004117811.tif 000007
【図６】
2004117811.tif 000008
【図７】
2004117811.tif 000009
【図８】
2004117811.tif 000010
【図９】
2004117811.tif 000011
【図１０】
2004117811.tif 000012
【図１１】
2004117811.tif 000013
【図１２】
2004117811.tif 000014
【図１３】
2004117811.tif 000015